(57)【要約】【課題】外力が作用した場合に、蓄電装置間で確実に短絡を発生させることができる蓄電モジュールを提供する。【解決手段】蓄電モジュール１は、第１短絡部１１と第２短絡部１２とを有する短絡経路形成部１０を備え、第２短絡部１２が、互いに直交するＸ方向とＹ方向において第１短絡部１１に対向することにより、外力によって、一方の二次電池２と他方の二次電池２との位置関係が様々な方向で変化した場合でも、第１短絡部１１と第２短絡部１２とが接触することを可能にする。これにより、外力が加わった場合に、二次電池２，２間で確実に短絡を発生させる。【選択図】図１
2015002113.tif 000002
【特許請求の範囲】
【請求項１】
第１蓄電装置と第２蓄電装置とを有し、電気的に接続された複数の蓄電装置と、
前記第１蓄電装置の電極端子に電気的に接続された第１短絡部と、前記第２蓄電装置の電極端子に電気的に接続されて前記第１短絡部に対向する第２短絡部とを有し、前記第１蓄電装置と前記第２蓄電装置との位置関係が変化した場合に前記第１短絡部と前記第２短絡部とが接触する短絡経路形成部と、を備え、
前記第２短絡部は、互いに直交する２方向において前記第１短絡部に対向していることを特徴とする蓄電モジュール。
【請求項２】
前記複数の蓄電装置の電極端子に電気的に接続された複数の接続部材を備え、
前記第１短絡部と前記第２短絡部とは、隣り合う２つの接続部材にそれぞれ連続して設けられる、請求項１記載の蓄電モジュール。
【請求項３】
前記接続部材の一端および他端のそれぞれに前記第１短絡部および前記第２短絡部が設けられ、当該接続部材が複数並べられることにより、複数の前記短絡経路形成部が並設される、請求項２記載の蓄電モジュール。
【請求項４】
前記第２短絡部は、第１方向に離間する一対の対向部分を有し、
前記第１短絡部は、前記一対の対向部分の間に配置される、請求項１〜３のいずれか一項記載の蓄電モジュール。
【請求項５】
前記第２短絡部は、前記第１方向に直交する第２方向に離間する他の一対の対向部分を更に有し、
前記第１短絡部は、前記他の一対の対向部分の間に配置される、請求項４記載の蓄電モジュール。
【請求項６】
前記第１短絡部および前記第２短絡部は、同一平面上に配置されて対向する板状部をそれぞれ有し、
前記第２短絡部は、前記第２短絡部の板状部の端部に連結されて、前記第１短絡部の板状部の端部に対して前記平面に垂直な方向で対向するＬ字状の対向部分を有する、請求項１〜３のいずれか一項記載の蓄電モジュール。
【請求項７】
前記第１短絡部は、突部と窪み部とを有し、
前記第２短絡部は、突部と窪み部とを有し、
前記第１短絡部の窪み部に前記第２短絡部の突部が配置されると共に、前記第２短絡部の窪み部に前記第１短絡部の突部が配置される、請求項１〜３のいずれか一項記載の蓄電モジュール。
【請求項８】
前記第１蓄電装置と前記第２蓄電装置との間には他の蓄電装置が配置されており、
前記短絡経路形成部は、
前記第１蓄電装置の電極端子から突出して、先端に前記第１短絡部が形成された棒状部と、
前記第２蓄電装置の電極端子から突出して、前記第１短絡部を収容する窪み部が形成された突出部と、を有する、請求項１記載の蓄電モジュール。
【請求項９】
前記窪み部は半球状に形成されている、請求項８記載の蓄電モジュール。
【請求項１０】
第１蓄電モジュールと第２蓄電モジュールとを有し、電気的に接続された複数の蓄電モジュールと、
前記第１蓄電モジュールの電極端子に電気的に接続された第１短絡部と、前記第２蓄電モジュールの電極端子に電気的に接続されて前記第１短絡部に対向する第２短絡部とを有し、前記第１蓄電モジュールと前記第２蓄電モジュールとの位置関係が変化した場合に前記第１短絡部と前記第２短絡部とが接触する短絡経路形成部と、を備え、
前記第２短絡部は、互いに直交する２方向において前記第１短絡部に対向していることを特徴とする蓄電パック。
【発明の詳細な説明】
【技術分野】
【０００１】
本発明は、複数の蓄電装置を有する蓄電モジュールおよび複数の蓄電モジュールを有する蓄電パックに関する。
【背景技術】
【０００２】
蓄電モジュールは、複数の蓄電装置が電気的に接続されたものである。たとえば、特許文献１に記載された蓄電モジュールでは、隣接する二次電池の端子を連結部材によって電気的に連結しており、さらに、隣接する連結部材間において短絡を誘発する短絡部材が設けられている。この短絡部材は、隣接する二次電池の間に配置されたひだ状の板と、この板の上端に配置された短絡板とを有する。短絡板は、隣接する連結部材の間の下方に配置される。
【０００３】
この蓄電モジュールでは、二次電池の内部でガスが発生して、二次電池のケースの側面が膨らんだ場合に、ひだ状の板が伸び、短絡板が押し上げられる。そして、短絡板が連結部材同士を電気的に接続することにより、短絡電流が流れる。このように２個の二次電池を短絡させることにより、二次電池がさらに膨張して発火等に至ることを防止している。
【先行技術文献】
【特許文献】
【０００４】
【特許文献１】特開２０１１−４０３６８号公報
【発明の概要】
【発明が解決しようとする課題】
【０００５】
上記の蓄電モジュールでは、蓄電装置である二次電池の変形を利用しているため、二次電池が変形しない場合には、二次電池を短絡させることは困難である。たとえば、蓄電モジュールに何らかの外力が加わり、二次電池の位置が変動した場合には、短絡部材が適切に動作しないおそれがある。このように、外力が加わった場合に、蓄電装置間で確実に短絡を発生させることはできなかった。
【０００６】
本発明は、外力が加わった場合に、蓄電装置間で確実に短絡を発生させることができる蓄電モジュール、および、蓄電モジュール間で確実に短絡を発生させることができる蓄電パックを提供することを目的とする。
【課題を解決するための手段】
【０００７】
本発明の蓄電モジュールは、第１蓄電装置と第２蓄電装置とを有し、電気的に接続された複数の蓄電装置と、第１蓄電装置の電極端子に電気的に接続された第１短絡部と、第２蓄電装置の電極端子に電気的に接続されて第１短絡部に対向する第２短絡部とを有し、第１蓄電装置と第２蓄電装置との位置関係が変化した場合に第１短絡部と第２短絡部とが接触する短絡経路形成部と、を備え、第２短絡部は、互いに直交する２方向において第１短絡部に対向していることを特徴とする。
【０００８】
この蓄電モジュールによれば、第１蓄電装置と第２蓄電装置との位置関係が変化した場合に、第１短絡部と第２短絡部とが接触して蓄電装置間で短絡が発生する。第２短絡部は、互いに直交する２方向において第１短絡部に対向しているため、外力によって、第１蓄電装置と第２蓄電装置との位置関係が様々な方向で変化しても、第１短絡部と第２短絡部とを接触させることができる。よって、外力が加わった場合に、蓄電装置間で確実に短絡を発生させることができる。
【０００９】
複数の蓄電装置の電極端子に電気的に接続された複数の接続部材を備え、第１短絡部と第２短絡部とは、隣り合う２つの接続部材にそれぞれ連続して設けられてもよい。この場合、接続部材を利用して短絡経路形成部を設けることができ、スペース効率を向上することができる。
【００１０】
接続部材の一端および他端のそれぞれに第１短絡部および第２短絡部が設けられ、当該接続部材が複数並べられることにより、複数の短絡経路形成部が並設されてもよい。この場合、複数の短絡経路形成部が設けられるため、複数の箇所で短絡を発生させたり、外力が加わる位置等に関わらず確実に短絡を発生させたりすることができる。よって、安全性の向上を図ることができる。
【００１１】
第２短絡部は、第１方向に離間する一対の対向部分を有し、第１短絡部は、一対の対向部分の間に配置されてもよい。この構成によれば、第１方向におけるいずれの向きに位置関係が変化した場合でも、確実に短絡を発生させることができる。
【００１２】
第２短絡部は、第１方向に直交する第２方向に離間する他の一対の対向部分を更に有し、第１短絡部は、他の一対の対向部分の間に配置されてもよい。この構成によれば、第２方向におけるいずれの向きに位置関係が変化した場合でも、確実に短絡を発生させることができる。
【００１３】
第１短絡部および第２短絡部は、同一平面上に配置されて対向する板状部をそれぞれ有し、第２短絡部は、第２短絡部の板状部の端部に連結されて、第１短絡部の板状部の端部に対して平面に垂直な方向で対向するＬ字状の対向部分を有してもよい。この場合、板状部からなる簡易な構成によって、短絡を確実に発生させることができる。
【００１４】
第１短絡部は、突部と窪み部とを有し、第２短絡部は、突部と窪み部とを有し、第１短絡部の窪み部に第２短絡部の突部が配置されると共に、第２短絡部の窪み部に第１短絡部の突部が配置されてもよい。この場合、突部と窪み部とが互いに入り組んだ形状となるので、より確実に短絡を発生させることができる。
【００１５】
第１蓄電装置と第２蓄電装置との間には他の蓄電装置が配置されており、短絡経路形成部は、第１蓄電装置の電極端子から突出して、先端に第１短絡部が形成された棒状部と、第２蓄電装置の電極端子から突出して、第１短絡部を収容する窪み部が形成された突出部と、を有してもよい。この構成によれば、第１蓄電装置と第２蓄電装置とが離れて配置されている場合であっても、棒状部と突出部との組み合わせにより、容易に短絡経路形成部を設けることができる。
【００１６】
窪み部は半球状に形成されてもよい。この場合、棒状部の先端に形成された第１短絡部は、周囲のいずれの方向に移動した場合でも、窪み部の壁面に確実に接触する。このように半球状に形成された窪み部の壁面が第２短絡部として機能するので、より確実に短絡を発生させることができる。
【００１７】
本発明の蓄電パックは、第１蓄電モジュールと第２蓄電モジュールとを有し、電気的に接続された複数の蓄電モジュールと、第１蓄電モジュールの電極端子に電気的に接続された第１短絡部と、第２蓄電モジュールの電極端子に電気的に接続されて第１短絡部に対向する第２短絡部とを有し、第１蓄電モジュールと第２蓄電モジュールとの位置関係が変化した場合に第１短絡部と第２短絡部とが接触する短絡経路形成部と、を備え、第２短絡部は、互いに直交する２方向において第１短絡部に対向していることを特徴とする。
【００１８】
この蓄電パックによれば、第１蓄電モジュールと第２蓄電モジュールとの位置関係が変化した場合に、第１短絡部と第２短絡部とが接触して蓄電モジュール間で短絡が発生する。第２短絡部は、互いに直交する２方向において第１短絡部に対向しているため、外力によって、第１蓄電モジュールと第２蓄電モジュールとの位置関係が様々な方向で変化しても、第１短絡部と第２短絡部とを接触させることができる。よって、外力が加わった場合に、蓄電モジュール間で確実に短絡を発生させることができる。
【発明の効果】
【００１９】
本発明によれば、外力が加わった場合に、蓄電装置間または蓄電モジュール間で確実に短絡を発生させることができる。
【図面の簡単な説明】
【００２０】
【図１】本発明の第１実施形態に係る蓄電モジュールの平面図である。
【図２】図１の蓄電モジュールの斜視図であり、短絡経路形成部の箇所を示す図である。
【図３】図１の蓄電モジュールの短絡経路形成部を示す平面図である。
【図４】短絡経路形成部の第２の形態を示す平面図である。
【図５】短絡経路形成部の第３の形態を示す側面図である。
【図６】短絡経路形成部の第４の形態を示す平面図である。
【図７】一変形形態に係る蓄電モジュールの斜視図であり、短絡経路形成部の箇所を示す図である。
【図８】他の変形形態に係る蓄電モジュールの斜視図であり、短絡経路形成部の箇所を示す図である。
【図９】本発明の第２実施形態に係る蓄電モジュールの平面図である。
【図１０】（ａ）は図９の蓄電モジュールの短絡経路形成部を示す斜視図であり、（ｂ）は（ａ）の平面図である。
【発明を実施するための形態】
【００２１】
以下、本発明の実施形態について、図面を参照しながら説明する。なお、図面の説明において同一要素には同一符号を付し、重複する説明は省略する。
【００２２】
図１に示されるように、蓄電モジュール１は、複数の二次電池（蓄電装置）２を備え、これらの二次電池２が電気的に接続されたものである。二次電池２は、たとえばリチウムイオン二次電池等の非水電解質二次電池である。なお、蓄電装置としては、二次電池２に限られず、たとえば電気二重層キャパシタ等を用いてもよい。
【００２３】
二次電池２は、直方体状のケース５を備えている。複数の二次電池２は、たとえばｍ個×ｎ列（図１に示す例では８個×２列）に配列されている。複数（ｍ個）の二次電池２が、ケース５の最も大きい側面５ａが互いに対向するようにして、蓄電モジュール１の長手方向に並べられ、小さい側面５ｂが互いに対向するようにして、蓄電モジュール１の短手方向にｎ列に並べられている。二次電池２の上面５ｃから、正極端子（電極端子）３ａおよび負極端子（電極端子）３ｂが突出している。互いに隣接する二次電池２，２は、一方の二次電池２の正極端子３ａが他方の二次電池２の負極端子３ｂに近接するように、向きを１８０度変えて配置されている。
【００２４】
複数の二次電池２は、たとえば、ケース５を保持する保持部材（図示せず）および保持部材同士を機械的に連結するスルーボルト（図示せず）等によって、拘束されている。
【００２５】
互いに隣接する二次電池２，２において、一方の二次電池２の正極端子３ａと他方の二次電池２の負極端子３ｂとが、バスバー（接続部材）４，６，７によって電気的に連結されている。外方に配置されたバスバー４と中央寄りに配置されたバスバー６とは、蓄電モジュール１の長手方向に隣接する二次電池２，２に架け渡され、千鳥状に配置されている。蓄電モジュール１の長手方向の一端では、バスバー７が、短手方向に隣接する二次電池２，２に架け渡されている。このようにして、複数の二次電池２が直列的に接続されている。
【００２６】
図１および図２に示されるように、中央寄りに配置された複数のバスバー６は、蓄電モジュール１の長手方向に並べられている。蓄電モジュール１では、複数のバスバー６が並べられることにより、外力が加わった場合に外部短絡を生じさせるための複数の短絡経路形成部１０が設けられている。短絡経路形成部１０のそれぞれは、第１短絡部１１と、第２短絡部１２とを有する。なお、図２では、短絡経路形成部１０が設けられる箇所を破線で示している。
【００２７】
図１および図３に示されるように、各バスバー６の一端および他端のそれぞれには、第１短絡部１１および第２短絡部１２が形成されている。第１短絡部１１は、バスバー６の端部６ａから突出するように形成されている。第２短絡部１２は、バスバー６の他方の端部６ａが切り欠かれたように形成されている。第２短絡部１２は、僅かな間隙を有して、第１短絡部１１に対向している。第１短絡部１１および第２短絡部１２は、バスバー６を延長することによって形成されている。言い換えれば、第１短絡部１１および第２短絡部１２は、バスバー６に連続して形成されている。
【００２８】
図３を参照して、第１短絡部１１および第２短絡部１２についてより詳細に説明する。図３では、Ｘ方向が蓄電モジュール１の短手方向に相当し、Ｙ方向が蓄電モジュール１の長手方向に相当する。第１短絡部１１は、長方形の板状をなしている。第１短絡部１１は、バスバー６の端部６ａからＹ方向に沿って突出したアーム部１３の先端に連結されている。第２短絡部１２は、バスバー６の端部６ａに形成された開口１２ｄと、開口１２ｄに連通して開口１２ｄよりも拡幅された長方形状の空間１２ｅを有している。開口１２ｄ内には、アーム部１３が配置される。空間１２ｅ内には、第１短絡部１１が配置される。
【００２９】
言い換えれば、バスバー６の端部６ａには、基部１２ａと、基部１２ａからＹ方向に沿って延びる側部１２ｃ，１２ｃと、側部１２ｃの先端からＸ方向に沿って延びる先端部１２ｂ，１２ｂとが形成されている。基部１２ａと先端部１２ｂ，１２ｂとは、Ｙ方向に離間する一対の対向部分である。側部１２ｃ，１２ｃは、Ｘ方向に離間する他の一対の対向部分である。第１短絡部１１は、基部１２ａと先端部１２ｂ，１２ｂとの間に配置される。第１短絡部１１は、側部１２ｃ，１２ｃの間に配置される。第１短絡部１１と、基部１２ａおよび先端部１２ｂ，１２ｂとの間には、間隙１４，１４が形成される。第１短絡部１１と、側部１２ｃ，１２ｃの間には、間隙１６，１６が形成される。
【００３０】
このように、第１短絡部１１と第２短絡部１２とは、間隙１４，１４および間隙１６，１６を介して、互いに直交するＸ方向およびＹ方向において対向している。第１短絡部１１と第２短絡部１２とは、蓄電モジュール１に外力が加わること等によって一方の二次電池２（すなわち第１短絡部１１が電気的に接続された第１蓄電装置）と他方の二次電池２（すなわち第２短絡部１２が電気的に接続された第２蓄電装置）との位置関係が変化した場合に、互いに接触可能になっている。より詳細には、正極端子３ａと負極端子３ｂとの位置関係が変化した場合に第１短絡部１１と第２短絡部１２とが接触することにより、短絡経路が形成され、バスバー６に放電電流が流れる。
【００３１】
図１および図２に示されるように、バスバー７の一端および他端のそれぞれにも、第１短絡部１１および第２短絡部１２が形成されており、バスバー７と、バスバー７に隣り合うバスバー６，６とによって短絡経路形成部１０が形成されている。また、正側の出力端子８の基端には第１短絡部１１が形成されており、出力端子８とバスバー６とによって短絡経路形成部１０が形成されている。負側の出力端子８の基端には第２短絡部１２が形成されており、出力端子８とバスバー６とによって短絡経路形成部１０が形成されている。
【００３２】
バスバー６、バスバー７、出力端子８の材質、太さ（すなわち断面積）、長さ等を調整することにより、短絡抵抗を調整することができる。短絡抵抗の調整により、発熱量などもコントロールでき、二次電池２のダメージを低減し、二次電池２の再使用が可能となる。
【００３３】
蓄電モジュール１によれば、たとえば外力等が加わることにより、一方の二次電池２と他方の二次電池２との位置関係が変化した場合に、第１短絡部１１と第２短絡部１２とが接触して二次電池２，２間で短絡が発生する。第２短絡部１２は、互いに直交するＸ方向とＹ方向において第１短絡部１１に対向しているため、外力によって、一方の二次電池２と他方の二次電池２との位置関係が様々な方向で変化しても、第１短絡部１１と第２短絡部１２とを接触させることができる。よって、外力が加わった場合に、二次電池２，２間で確実に短絡を発生させることができる。
【００３４】
短絡経路形成部１０によって短絡経路が形成され、放電電流が流れることにより、たとえば釘刺しや圧壊等が起こった場合でも、少しでもＳＯＣ（電池容量；Ｓｔａｔｅ  ｏｆ  Ｃｈａｒｇｅ）が低減され、二次電池２の安全性が確保される。特に、外力により二次電池２の内部短絡が発生する場合、二次電池２の内部短絡箇所に電流が集中する。二次電池２が満充電状態では、内部短絡箇所に集中する電流が大きくなるが、短絡経路形成部１０によって外部短絡を生じさせることにより、二次電池２の内部短絡箇所への電流の集中が緩和される。
【００３５】
第１短絡部１１と第２短絡部１２とは、隣り合う２つのバスバー６，６にそれぞれ連続して設けられているため、バスバー６を利用して短絡経路形成部１０を設けることができ、スペース効率が向上している。また、短絡経路形成部用の部材を別途設ける必要がない。
【００３６】
バスバー６の一端および他端のそれぞれに第１短絡部１１および第２短絡部１２が設けられ、当該バスバー６が複数並べられることにより、複数の短絡経路形成部１０が並設されるため、複数の箇所で短絡を発生させたり、外力が加わる位置等に関わらず確実に短絡を発生させたりすることができる。よって、安全性の向上が図られている。しかも、同一のバスバー６を複数並べることによって複数の短絡経路形成部１０を設けることができるため、部品の共有化が図られている。
【００３７】
第２短絡部１２は、Ｙ方向に離間する基部１２ａと先端部１２ｂ，１２ｂとを有し、第１短絡部１１は、基部１２ａと先端部１２ｂ，１２ｂとの間に配置されている。そのため、Ｙ方向におけるいずれの向き（図３の右向き又は左向き）に位置関係が変化した場合でも、第１短絡部１１が基部１２ａと先端部１２ｂ，１２ｂとのいずれかに接触し、確実に短絡を発生させることができる。
【００３８】
第２短絡部１２は、Ｘ方向に離間する側部１２ｃ，１２ｃを更に有し、第１短絡部１１は、側部１２ｃ，１２ｃの間に配置されている。そのため、Ｘ方向におけるいずれの向き（図３の上向き又は下向き）に位置関係が変化した場合でも、第１短絡部１１が側部１２ｃ，１２ｃのいずれかに接触し、確実に短絡を発生させることができる。
【００３９】
また、短絡経路形成部１０は、板状であるバスバー６を利用することにより、ＸＹ平面上に形成される。すなわち、第１短絡部１１および第２短絡部１２は同一平面上に配置される。よって、ＸＹ平面に垂直な方向（すなわち正極端子３ａおよび負極端子３ｂが突出する方向）に短絡経路形成部１０が突出することがなく、コンパクト化が図られている。
【００４０】
短絡経路形成部としては、図３に示される短絡経路形成部１０に限られず、各種の変形形態を採用することができる。各変形形態の短絡経路形成部は、図２に破線で示される箇所に配置されてもよい。
【００４１】
たとえば、図４に示されるように、第１短絡部１１Ａと第２短絡部１２Ａとを有する短絡経路形成部１０Ａであってもよい。第１短絡部１１Ａは、バスバー６の端部６ａから突出するように形成されている。第２短絡部１２Ａは、バスバー６の端部６ａに形成された、基部２２ａと、基部２２ａからＹ方向に沿って延びる側部２２ｃ，２２ｃとを有している。側部２２ｃ，２２ｃの間に形成された窪み部２２ｅ内に、第１短絡部１１Ａが配置される。第１短絡部１１Ａと第２短絡部１２Ａとの間には、Ｕ字状の間隙２４が形成されている。
【００４２】
このように、第１短絡部１１Ａと第２短絡部１２Ａとは、間隙１４，１４および間隙１６，１６を介して、互いに直交するＸ方向およびＹ方向において対向している。第１短絡部１１Ａは、Ｘ方向に離間する側部２２ｃ，２２ｃ（一対の対向部分）の間に配置される。この場合でも、外力が加わった場合に、第１短絡部１１Ａは、基部２２ａまたは側部２２ｃ，２２ｃに接触し、確実に短絡を発生させることができる。また、短絡経路形成部１０と同様、スペース効率の向上、安全性の向上、部品の共有化、およびコンパクト化が図られる。しかも、バスバー６の端部６ａに凹凸を設ければよいため、製作・組み立てが容易である。
【００４３】
また、図５に示されるように、第１短絡部１１Ｂと第２短絡部１２Ｂとを有する短絡経路形成部１０Ｂであってもよい。第１短絡部１１Ｂは、端部６ａの先端である板状部３１を有する。第２短絡部１２Ｂは、端部６ａの先端である板状部３２を有する。板状部３１と板状部３２とは、ＸＹ平面（同一平面）上に配置されて、Ｙ方向において対向する。さらに、第２短絡部１２Ｂは、板状部３２の先端部に連結されて、板状部３１に対してＺ方向で対向するＬ字状の対向部分３３を有する。
【００４４】
このように、第１短絡部１１Ｂと第２短絡部１２Ｂとは、間隙３４および間隙３６を介して、互いに直交するＹ方向およびＺ方向において対向している。この場合でも、外力が加わった場合に、第１短絡部１１Ｂは、板状部３２または対向部分３３に接触し、確実に短絡を発生させることができる。また、短絡経路形成部１０，１０Ａと同様、スペース効率の向上、安全性の向上、および部品の共有化が図られる。
【００４５】
しかも、たとえばバスバー６の端部６ａを折り曲げることによって第２短絡部１２Ｂを形成することができるので、製作・組み立てが容易である。このように、板状部からなる簡易な構成によって、短絡を確実に発生させることができる。
【００４６】
また、図６に示されるように、第１短絡部１１Ｃと第２短絡部１２Ｃとを有する短絡経路形成部１０Ｃであってもよい。第１短絡部１１Ｃは、突部４１と窪み部４２とを有し、第２短絡部１２Ｃは、突部４３と窪み部４４とを有し、第１短絡部１１Ｃの窪み部４２に第２短絡部１２Ｃの突部４３が配置されると共に、第２短絡部１２Ｃの窪み部４４に第１短絡部１１Ｃの突部４１が配置されている。突部４１と突部４３、窪み部４２と窪み部４４は、大きさ及び形状が等しい。すなわち、第１短絡部１１Ｃと第２短絡部１２Ｃとは、バスバー６の中心点を基準として点対称に形成されている。
【００４７】
この場合、突部４１，４３と窪み部４４，４２とが互いに入り組んだ形状となるので、より確実に短絡を発生させることができる。また、バスバー６単品で点対称の形状となっているので、組み付けが容易になっている。
【００４８】
上記のように、短絡経路形成部は各種の変形形態を採ることができるが、短絡経路形成部が配置される箇所についても、各種の変形形態を採用することができる。
【００４９】
たとえば、図７に示されるように、複数の二次電池２の配置と、電気的な接続経路は蓄電モジュール１と同じであるが、出力端子８Ｄ，８Ｄの基端部同士によって短絡経路形成部１０Ｄが形成された蓄電モジュール１Ｄであってもよい。短絡経路形成部１０Ｄの具体的態様としては、上述した短絡経路形成部１０，１０Ａ，１０Ｂ，１０Ｃと同様の第１短絡部と第２短絡部を採用することができる。この場合、バスバー６およびバスバー７に代えて、第１短絡部１１および第２短絡部１２が形成されていない長方形状のバスバー６Ｄおよびバスバー７Ｄを用いることができる。すなわち、バスバー６Ｄおよびバスバー７Ｄは、バスバー４と共通の部材とすることができる。
【００５０】
また、図８に示されるように、複数の二次電池２の配置は蓄電モジュール１と同じであるが、電気的な接続経路が異なる蓄電モジュール１Ｅであってもよい。蓄電モジュール１Ｅでは、バスバー６に代えて、バスバー６Ｅが、蓄電モジュール１Ｅの短手方向に隣接する二次電池２，２に架け渡されている。また、一列にならべられた複数枚（図７に示す例では４枚）のバスバー４に代えて、図８に示すように４枚のバスバー４Ｅが設けられている。出力端子８Ｅ，８Ｅが、一列に並べられたバスバー４Ｅの両端に隣接して設けられている。バスバー６Ｅ，６ｅ同士によって短絡経路形成部１０Ｅが形成されている。バスバー４Ｅ，４Ｅ同士と、バスバー４Ｅおよび出力端子８Ｅとによって短絡経路形成部１０Ｅが形成されている。短絡経路形成部１０Ｅの具体的態様としては、上述した短絡経路形成部１０，１０Ａ，１０Ｂ，１０Ｃと同様の第１短絡部と第２短絡部を採用することができる。
【００５１】
図９および図１０を参照して、第２実施形態の蓄電モジュール１Ｆについて説明する。蓄電モジュール１Ｆが蓄電モジュール１と違う点は、隣り合う二次電池２，２間に形成された短絡経路形成部１０に代えて、隔離された二次電池２，２間に形成された短絡経路形成部１０Ｆを備えた点である。図９では、４個の二次電池２が一列に並べられた例を示しているが、複数の二次電池２は、蓄電モジュール１と同様、ｍ個×ｎ列に配列されてもよい。
【００５２】
一端に配置された二次電池２と他端に配置された二次電池２との間には、他の二次電池２が配置されている。短絡経路形成部１０Ｆは、一方の二次電池２の負極端子３ｂから突出して、先端に第１短絡部１１Ｆが形成された棒状部５０と、他方の二次電池２の正極端子３ａから突出して、第１短絡部１１Ｆを収容する窪み部５１が形成された突出部５２と、を有する。突出部５２は、直方体状に形成されており、窪み部５１は、半球状に形成されている。第１短絡部１１Ｆと窪み部５１の壁面との間には、間隙５３（図１０（ｂ）参照）が形成されている。第１短絡部１１Ｆは、窪み部５１の半径方向において、突出部５２に対向している。この場合、突出部５２は第２短絡部に相当する。
【００５３】
蓄電モジュール１Ｆによれば、たとえば外力等が加わることにより、一方の二次電池２と他方の二次電池２との位置関係が変化した場合に、第１短絡部１１Ｆと突出部５２とが接触して二次電池２，２間で短絡が発生する。突出部５２は、窪み部５１の半径方向において第１短絡部１１に対向しているため、外力によって、一方の二次電池２と他方の二次電池２との位置関係が様々な方向で変化しても、第１短絡部１１Ｆと突出部５２とを接触させることができる。よって、外力が加わった場合に、二次電池２，２間で確実に短絡を発生させることができる。
【００５４】
一方の二次電池２と他方の二次電池２とが離れて配置されている場合であっても、棒状部５０と突出部５２との組み合わせにより、容易に短絡経路形成部１０Ｆを設けることができる。
【００５５】
棒状部５０の先端に形成された第１短絡部１１Ｆは、周囲のいずれの方向に移動した場合でも、窪み部５１の壁面に確実に接触する。このように半球状に形成された窪み部５１の壁面が第２短絡部として機能するので、より確実に短絡を発生させることができる。
【００５６】
以上、本発明の実施形態について説明したが、本発明は上記実施形態に限られるものではない。
【００５７】
たとえば、複数の二次電池２からなる蓄電モジュールに適用する場合に限られず、複数の二次電池２からなる蓄電モジュールを複数組んだ、いわゆるパックに適用してもよい。すなわち、本発明は、電気的に接続された複数の蓄電モジュールを有する蓄電パックに適用されてもよい。この場合、蓄電パックの短絡経路形成部は、第１蓄電モジュールの電極端子に電気的に接続された第１短絡部と、第２蓄電モジュールの電極端子に電気的に接続されて第１短絡部に対向する第２短絡部とを有し、第１蓄電モジュールと第２蓄電モジュールとの位置関係が変化した場合に第１短絡部と第２短絡部とが接触するように構成される。第２短絡部は、互いに直交する２方向において第１短絡部に対向する。短絡経路形成部としては、上述した各種の形態と同様の形態を採用することができる。
【００５８】
このような蓄電パックによれば、たとえば外力等が加わることにより、第１蓄電モジュールと第２蓄電モジュールとの位置関係が変化した場合に、第１短絡部と第２短絡部とが接触して蓄電モジュール間で短絡が発生する。第２短絡部は、互いに直交する２方向において第１短絡部に対向しているため、外力によって、第１蓄電モジュールと第２蓄電モジュールとの位置関係が様々な方向で変化しても、第１短絡部と第２短絡部とを接触させることができる。よって、外力が加わった場合に、蓄電モジュール間で確実に短絡を発生させることができる。
【００５９】
また、第２実施形態の蓄電モジュール１Ｆにおいて、正極端子３ａおよび負極端子３ｂから板状の導電部材を突出させ、短絡経路形成部１０，１０Ａ，１０Ｂ，１０Ｃと同様の第１短絡部と第２短絡部を形成してもよい。
【００６０】
また、各実施形態では、蓄電モジュール１の短手方向をＸ方向、長手方向をＹ方向とし、互いに直交する２方向を規定したが、これに限られない。互いに直交する方向は、蓄電モジュール１の短手方向および長手方向に関わらず、任意の向きで互いに直交しても良い。
【符号の説明】
【００６１】
１，１Ｄ，１Ｅ，１Ｆ…蓄電モジュール、２…二次電池（蓄電装置）、３ａ…正極端子（電極端子）、３ｂ…負極端子（電極端子）、４Ｅ…バスバー（接続部材）、６，６Ｅ…バスバー（接続部材）、７…バスバー（接続部材）、８，８Ｄ，８Ｅ…出力端子（接続部材）、１０，１０Ａ〜１０Ｆ…短絡経路形成部、１１，１１Ａ，１１Ｂ，１１Ｃ，１１Ｆ…第１短絡部、１２，１２Ａ，１２Ｂ，１２Ｃ…第２短絡部、５０…棒状部、５１…窪み部、５２…突出部。
【図１】
2015002113.tif 000003
【図２】
2015002113.tif 000004
【図３】
2015002113.tif 000005
【図４】
2015002113.tif 000006
【図５】
2015002113.tif 000007
【図６】
2015002113.tif 000008
【図７】
2015002113.tif 000009
【図８】
2015002113.tif 000010
【図９】
2015002113.tif 000011
【図１０】
2015002113.tif 000012